(57)【要約】【課題】低コストと省スペースとを実現しながら、深視力の回復促進と視力検査とを実行することが可能な眼精疲労回復促進装置を提供する。    【解決手段】眼精疲労回復促進装置は、ユーザの右眼と左眼とに対応して互いに並行する光学系を有し、当該ユーザの眼精疲労の回復促進を図る装置であって、両眼視差を利用してユーザに対しその深視力の回復訓練を促進する深視力訓練手段と、ユーザに対し視力検査視標を観察させ、当該ユーザの静止視力の検査に供される視力検査手段と、ユーザからの入力指示に基づいて、深視力訓練手段および視力検査手段を切替駆動する駆動制御部とを有する。【選択図】図３
2007215691.tif 000002
【特許請求の範囲】
【請求項１】
ユーザの右眼と左眼とに対応して互いに並行する光学系を有し、当該ユーザの眼精疲労の回復促進を図る眼精疲労回復促進装置であって、
両眼視差を利用して前記ユーザに対しその深視力の回復訓練を促進する深視力訓練手段と、
前記ユーザに対し視力検査用視標を観察させ、当該ユーザの静止視力の検査に供される視力検査手段と、
前記ユーザからの入力指示に基づいて、前記深視力訓練手段および前記視力検査手段の駆動を実行する駆動制御部とを有する
ことを特徴とする眼精疲労回復促進装置。
【請求項２】
前記ユーザの右眼用の視標チャートと左眼用の視標チャートとで一対となるチャート対が３対配されており、
前記３対のチャート対のうちの第１のチャート対は、前記深視力訓練手段に含まれるチャート対であって、右眼用視標チャートと左眼用視標チャートとで複数の同一図形または同一文字からなる視標が描かれており、両視標チャートに描かれた対応関係を有する図形または文字が、前記ユーザの視線に対し交差する方向において、互いに位置的にズレを有しており、
前記３対のチャート対のうちの第２のチャート対は、その各々に前記視力検査手段に含まれる視力検査視標が描かれてなり、
前記３対のチャート対のうちの第３のチャート対には、前記ユーザの両眼の注視線を平行とする図形または文字からなる視標が描かれている
ことを特徴とする請求項１に記載の眼精疲労回復促進装置。
【請求項３】
前記３対のチャート対における各視標チャートに対しては、前記駆動制御部の指示信号に従って点灯／消灯を実行する照明部が備えられており、
前記駆動制御部は、前記ユーザからの入力信号に基づいて、各視標チャートに対応する前記照明部の点灯／消灯を制御することで、前記ユーザの眼に入射される画像切り替えを実行する
ことを特徴とする請求項２に記載の眼精疲労回復促進装置。
【請求項４】
前記第２のチャート対に対応する前記照明部は、右眼用と左眼用とが互いに独立して点灯／消灯が可能に構成されている
ことを特徴とする請求項３に記載の眼精疲労回復促進装置。
【請求項５】
前記ユーザの眼に近接する視線上の位置に、無限遠光学系の接眼レンズが配されており、
前記視線上において、前記３対のチャート対のうちの２対のチャート対の各視標チャートと、前記接眼レンズとの各間には、ハーフミラーが介挿されている
ことを特徴とする請求項３または４に記載の眼精疲労回復促進装置。
【請求項６】
前記視線上において、各照明部は前記接眼レンズと各視標チャートとを結んだ延長線上に配されており、
前記各照明部から出射された光は、各視標チャートを透過して前記ユーザの眼に入射する
ことを特徴とする請求項５に記載の眼精疲労回復促進装置。
【請求項７】
前記第１のチャート対を含む光学系は、調節安静位に設定されている
ことを特徴とする請求項２から６の何れかに記載の眼精疲労回復促進装置。
【請求項８】
前記第１のチャート対における右眼用と左眼用との両視標チャートで対応関係を有する図形または文字の位置的なズレは、５００秒角以上２０００秒角以下の範囲に設定されている
ことを特徴とする請求項２から７の何れかに記載の眼精疲労回復促進装置。
【請求項９】
ユーザの右眼と左眼とに対応して互いに並行する光学系を有し、当該ユーザの眼精疲労の回復促進を図る眼精疲労回復促進装置であって、
前記ユーザの右眼用の視標チャートと左眼用の視標チャートとで一対となるチャート対が少なくとも２対配されており、
前記２対のチャート対のうちの一方は、右眼用視標チャートと左眼用視標チャートとで複数の同一図形または同一文字からなる視標が描かれており、両視標チャートに描かれた対応関係を有する図形または文字が、前記ユーザの視線に対し交差する方向において、互いに位置的にズレを有するものであり、
前記２対のチャート対のうちの他方には、前記ユーザの両眼の注視線を平行とする図形または文字が描かれている
ことを特徴とする眼精疲労回復促進装置。
【発明の詳細な説明】
【技術分野】
【０００１】
本発明は、眼精疲労回復促進装置に関し、特に深視力の訓練を促すための機能と静止視力の検査のための機能とに関する。
【背景技術】
【０００２】
近年、パーソナルコンピュータ等を用いた作業（ＶＤＴ作業）による眼精疲労やテクノストレス（疲れ症候群；Ｃｈｒｏｎｉｃ  Ｆａｔｉｇｕｅ  Ｓｙｎｄｒｏｍｅ）などが大きな社会問題となっている。例えば、ＶＤＴ作業などの近業作業を長時間にわたって実施することで、毛様筋その他の眼筋が緊張しつづけた結果、毛様筋などが弛緩し難くなるといった症状や、奥行知覚に関する問題が現れることがある。また、静止視力の低下といった問題も生じる。
【０００３】
このような問題に対しては、特許文献１、２などに提案されている深視力検査器を用い、近業作業を行うユーザに対し、定期的に深視力の測定を実施させて眼精疲労（奥行知覚）に関する自覚を促すことにより、長時間の作業で低下した深視力の回復に役立てるということもできると考えられる。また、従来から広く使用されているランドルト環などの図形が描かれた視力検査視標を用いた視力測定器などにより、近業作業などを長時間続けた作業者に自らの眼の疲れ度合いを自覚させるという方法を採用することも可能である。
【０００４】
ところで、近年では、パーソナルコンピュータが限られた場所だけではなく、一般の家庭においても広く普及し、また、家庭用のゲーム機の普及などもあり、誰しもが近業作業を実施するに至っている。これに伴い、上記眼精疲労などの問題は、特殊な作業環境下だけではなく、一般家庭においても大きな問題となってきている。
【特許文献１】特開平７−１６３５２０号公報
【特許文献２】特開昭６０−１８５５３３号公報
【発明の開示】
【発明が解決しようとする課題】
【０００５】
しかしながら、従来においては、深視力を検査するための機器と静止視力を測定するための機器とは別個独立に存在するので、これらをともに装備しておくということは、大規模な事業所ではなく一般家庭などでは現実的ではない。よって、パーソナルコンピュータや家庭用ゲーム機などの普及が進めば進むほど、これにより生じる眼精疲労対策を手軽に実現できる装置の実現が要望されている。
【０００６】
本発明は、このような問題を解決しようとなされたものであって、低コストと省スペースとを実現しながら、深視力の回復促進と視力検査とを実行することが可能な眼精疲労回復促進装置を提供することを目的とする。
【課題を解決するための手段】
【０００７】
上記目的を達成するために、本発明に係る眼精疲労回復促進装置は、ユーザの右眼と左眼とに対応して互いに並行する光学系を有し、当該ユーザの眼精疲労の回復促進を図る装置であって、両眼視差を利用してユーザに対しその深視力の回復訓練を促進する深視力訓練手段と、ユーザに対し視力検査視標を観察させ、当該ユーザの静止視力の検査に供される視力検査手段と、ユーザからの入力指示に基づいて、深視力訓練手段および視力検査手段を切替駆動する駆動制御部とを有することを特徴とする。
【０００８】
また、本発明に係る眼精疲労回復促進装置は、ユーザの右眼と左眼とに対応して互いに並行する光学系を有し、当該ユーザの眼精疲労の回復促進を図る装置であって、ユーザの右眼用の視標チャートと左眼用の視標チャートとで一対となるチャート対が少なくとも２対配されており、一方のチャート対として、右眼用視標チャートと左眼用視標チャートとで複数の同一図形または同一文字からなる視標を描き、両視標チャートに描かれた対応関係を有する図形または文字（視標）が、ユーザの視線に対し交差する方向において、互いに位置的にズレを有するチャート対を採用し、他方のチャート対として、ユーザの両眼の注視線を平行とする図形または文字（風景写真など）が描かれてなるものを採用することを特徴とする。
【発明の効果】
【０００９】
本発明に係る眼精疲労回復促進装置は、上記のように深視力訓練手段と視力検査手段と駆動制御部とを有するので、装置を使用するユーザの選択に基づいて、深視力回復手段および視力検査手段を駆動することができる。よって、ユーザは、本発明に係る眼精疲労回復促進装置を用いることで、上記従来のように深視力の回復促進と視力測定との各装置を備えておく必要がなく、コスト面および設置スペース面などの観点からメリットを享受することができる。
【００１０】
従って、本発明に係る眼精疲労回復促進装置は、低コストと省スペースとを実現しながら、深視力の回復促進と視力検査とを実行することが可能であるという優位性を有する。
なお、上述のように、本発明に係る眼精疲労回復促進装置は、深視力訓練手段と視力検査手段とを有するのであるが、ユーザに対し、必ずしも両手段の駆動を実行する必要はなく、ユーザの選択に基づき、どちらか一方の手段を駆動することも可能である。例えば、ユーザが本発明に係る装置に対し、深視力回復手段の実行のみを選択的に指示した場合には、本発明に係る装置は、深視力回復促進装置として機能し、逆に、ユーザが視力検査手段の実行のみを選択的に指示した場合には、本発明に係る装置は、視力検査装置として機能することになる。
【００１１】
上記本発明に係る眼精疲労回復促進装置では、具体的に次のような構成を採用することで、上記効果を得ることができる。
本発明に係る眼精疲労回復促進装置は、ユーザの右眼用の視標チャートと左眼用の視標チャートとで一対となるチャート対を３対配しておき、この３対のチャート対のうちの第１のチャート対として、深視力訓練手段に含まれるチャート対であって、右眼用視標チャートと左眼用視標チャートとで複数の同一図形または同一文字からなる視標が描かれており、両視標チャートに描かれた対応関係を有する図形または文字が、ユーザの視線に対し交差する方向において、互いに位置的にズレを有する構成のものを適用し、また、第２のチャート対として、視力検査手段に含まれる視力検査視標が描かれてなるチャート対を適用し、さらに、第３のチャート対として、ユーザの両眼の注視線を平行とする図形または文字が描かれているものを適用する。
【００１２】
また、上記本発明に係る眼精疲労回復促進装置では、３対のチャート対における各視標チャートに対し、駆動制御部の指示信号に基づいて点灯／消灯を実行する照明部を備え、駆動制御部が、ユーザからの入力信号に基づき、各視標に対応する照明部の点灯／消灯を制御し、これによってユーザの眼に入射される画像切り替えを実行する構成を採用することができる。
【００１３】
また、上記構成を採用する場合には、第２の視標対に対応する照明部を、右眼用と左眼用とが互いに独立して点灯／消灯が可能な構成としておけば、ユーザが右眼と左眼との視力を別々に検査することが可能となる。
本発明に係る眼精疲労回復促進装置では、ユーザの眼に近接する視線上の位置に、無限遠光学系の接眼レンズを配しておき、視線上において、３対のチャート対のうちの２対のチャート対の各視標チャートと接眼レンズとの各間にハーフミラーを介挿した構成とすることができる。そして、この構成を採用する装置では、視線上において、各照明部を接眼レンズと各視標チャートとを結んだ延長線上に配しておき、各照明部から出射された光が、各視標チャートを透過してユーザの眼に入射する構成を採用することができる。
【００１４】
また、本発明に係る眼精疲労回復促進装置では、第１のチャート対を含む光学系を調節安静位に設定しておけば、これを観察する際のユーザの眼がリラックスした状態となる。このため、この装置では、ＶＤＴ作業などで疲労した眼の回復を促進するのに有効となる。
また、本発明に係る眼精疲労回復促進装置では、第１のチャート対における右眼用と左眼用との両視標チャートで対応関係を有する図形または文字の位置的なズレの具体的な設定値として、５００秒角以上２０００秒角以下の範囲を採用することが望ましい。
【００１５】
さらに、上記のように、本発明に係る眼精疲労回復促進装置が、右眼用視標チャートと左眼用視標チャートとで複数の同一図形または同一文字からなる視標を描き、両視標チャートに描かれた対応関係を有する図形または文字が、ユーザの視線に対し交差する方向において、互いに位置的にズレを有するチャート対と、ユーザの両眼の注視線を平行とする図形または文字が描かれてなるチャート対とを備える構成とする場合には、視力検査のための視標チャートを備えないので、その分構成を簡略なものとすることができ、コストの低減および省スペースという観点から優れる。なお、この眼精疲労回復促進装置では、前者の視標対が深視力の回復促進に係る機能を果たすものであって、後者のチャート対がユーザに無限遠方を観察させるのと同様の作用で毛様筋などの緊張を解すという機能を果たすものである。
【発明を実施するための最良の形態】
【００１６】
本発明を実施するための最良の形態について、図を参酌しながら説明する。なお、以下で説明する形態は、本発明の構成およびそこから奏される作用効果を分かりやすく説明するために用いる一例であって、本発明は本質的に特徴とする部分以外において、以下の形態に限定を受けるものではない。
（実施の形態）
１．疲労回復促進装置１の構成
１−１．外観構成
本実施の形態に係る疲労回復促進装置１の外観構成について、図１を用いて説明する。
【００１７】
図１に示すように、疲労回復促進装置１は、本体部１０とこれに差し込んで用いられる第１視標パネル２０とから構成されている。この内、本体部１０は、各コーナ部に丸みをもたせた直方体形状を有する筐体１００と、その正面（図１の手前側Ｙ−Ｚ面）の上方領域に互いに間隔をあけて設けられたファインダ１０１Ｒ、１０１Ｌとを備える。また、筐体１００における正面の下方領域には、電源スイッチ１０３、モード選択スイッチ１０４、時間選択スイッチ１０５およびスタートスイッチ１０６が設けられている。この内、モード選択スイッチ１０４は、ユーザが後述する３種類の駆動モードを選択するためのスイッチである。また、時間選択スイッチ１０５は、１回あたりの装置駆動時間を選択するためのスイッチである。
【００１８】
なお、これらスイッチ１０３〜１０６には、各々にランプが内蔵されてなるインジケータスイッチが適用されている。
また、筐体１００の一方の側面（図１の手前側Ｘ−Ｚ面）の略中央部分には、その回転操作により第１視標パネル２０の昇降が可能なダイアル１０２が設けられている。
１−２．内部の主要構造
次に、疲労回復促進装置１の内部の主要構造について、図２を用いて説明する。
【００１９】
図２に示すように、疲労回復促進装置１における光学系は、ユーザの右眼と左眼とのそれぞれに対応して並行するよう構成されている。そして、図２のＸ軸方向手前に配されている接眼レンズ５０Ｒ、５０Ｌは、それぞれにユーザの右眼と左眼とに対応しており、筐体１００の正面に設けられたファインダ１０１Ｒ、１０１Ｌの直ぐ内側に配置されている。
【００２０】
図２のＸ軸方向において、接眼レンズ１０１Ｒと同軸上には、ハーフミラー２１Ｒ、ハーフミラー３１Ｒ、チャート２０Ｒおよびランプ４０Ｒが配されている。この内、ハーフミラー３１Ｒ、３２Ｒは、接眼レンズ５０Ｒの側が光学反射面となっており、ハーフミラー３２ＲがＺ軸方向の上向きに光学反射面が角度（例えば、４５°）を有するようにＹ軸周りに角度を有し、ハーフミラー３１ＲがＺ軸方向の下向きに光学反射面が角度を有するようにＹ軸周りに角度（例えば、４５°）を有して設定されている。
【００２１】
ユーザの左眼側についても、上述の右眼側と同様の構成を有し、Ｚ軸方向において、接眼レンズ１０１Ｌと同軸上には、ハーフミラー２１Ｌ、ハーフミラー３１Ｌ、チャート２０Ｌおよびランプ４０Ｌが配されている。なお、チャート２０Ｒとチャート２０Ｌとは、上記第１視標パネル２０に備えられているものであって、ユーザの両眼の注視線を平行に維持し、ユーザに恰も無限遠方を観察させる効果を有する風景写真などが適用されている。チャート２０Ｒとチャート２０Ｌとの各々における風景写真は、例えば、同じ被写体に対して１０〜２０ｃｍ程度の距離（人間の両眼の間隔よりもやや広い間隔）をあけて別々に撮影した写真などを用いることができる。
【００２２】
図２に示すように、Ｚ軸方向におけるハーフミラー３１Ｒ、３１Ｌの各下側には、Ｚ軸方向に対し交差（例えば、直交）する状態にチャート２１Ｒ、２１Ｌがそれぞれ配され、それよりも更に下方には、ランプ４１Ｒ、４１Ｌがそれぞれ配されている。一方、Ｚ軸方向におけるハーフミラー３２Ｒ、３２Ｌの各上方には、Ｚ軸方向に対し交差（例えば、直交）する状態にチャート２２Ｒ、２２Ｌがそれぞれ配され、それよりも更に上方には、ランプ４２Ｒ、４２Ｌがそれぞれ配されている。
【００２３】
なお、疲労回復促進装置１では、チャート２１Ｒとチャート２１Ｌとで対をなしており、同様に、チャート２２Ｒとチャート２２Ｌとで対をなしている。この内、チャート２１Ｒ、２１Ｌを含む光学系は、ユーザの眼をリラックスさせることができる調節安静位に設定されている。
２．疲労回復促進装置１の駆動原理
上記構成で光学系が形成されてなる疲労回復促進装置１の駆動原理について、図３を用いて説明する。図３では、ユーザの右眼に対応する光学系のみを示しているが、左眼側についても同様である。
【００２４】
図３に示すように、上述の通り、疲労回復促進装置１においては、３対の視標対が配されている。なお、ランプ４０Ｒ、４１Ｒ、４２Ｒとチャート２０Ｒ、２１Ｒ、２２Ｒとの各間には、散光板６０Ｒ、６１Ｒ、６２Ｒ（図２では、図示を省略。）が挿設されている。そして、本実施の形態に係る疲労回復促進装置１では、各ランプ４０Ｒ、４０Ｌ、４１Ｒ、４１Ｌ、４２Ｒ、４２Ｌが独立して点灯駆動ができるように構成されている。その駆動制御については、各選択スイッチ１０４、１０５などからのユーザの指示に基づき、後述の駆動制御部７０が実行する。
【００２５】
ランプ４１Ｒ、４２Ｒを消灯し、ランプ４０Ｒを点灯させた場合には、ランプ４０Ｒから出射された光が散光板６０Ｒで散光され、チャート２０Ｒを透過した後、ハーフミラー３１Ｒ、３２Ｒを通過して接眼レンズ５０Ｒからユーザの右眼へと入射される。このときには、図示を省略しているが、右眼側でも同様に駆動が実行される。この駆動状態においては、ユーザがチャート２０Ｒ、２０Ｌに適用された風景写真などを観察することになり、また、これらチャート２０Ｒ、２０Ｌに描かれた風景写真がユーザの両眼の注視線を平行に維持するので、これを両眼で観察したユーザは恰も無限遠方の風景を観察している状態となる。このため、この状態では、ユーザの両眼における瞳孔は、散瞳状態となる。
【００２６】
次に、ランプ４０Ｒ、４２Ｒを消灯し、ランプ４１Ｒを点灯させた場合には、ランプ４１Ｒから出射された光が散光板６１Ｒで散光され、チャート２１Ｒを透過した後、ハーフミラー３１Ｒの光学反射面３１ＲＦでＸ軸方向左側の接眼レンズ５０Ｒの方へと反射されて、ハーフミラー３２Ｒを通過して接眼レンズ５０Ｒからユーザの右眼へと入射される。
次に、ランプ４０Ｒ、４１Ｒを消灯し、ランプ４２Ｒを点灯させた場合には、ランプ４２Ｒから出射された光が散光板６２Ｒで散光され、チャート２２Ｒを透過した後、ハーフミラー３２Ｒの光学反射面３２ＲＦでＸ軸方向左側の接眼レンズ５０Ｒの方へと反射されて、接眼レンズ５０Ｒを通りユーザの右眼へと入射される。
【００２７】
なお、図示していない左眼側の各構成においても、同様の駆動が可能となっている。
３．チャート２１Ｒ、２１Ｌ、２２Ｒ、２２Ｌ
３−１．チャート２１Ｒ、２１Ｌ
本実施の形態に係る疲労回復促進装置１が有するチャート２１Ｒ、２１Ｌについて、図４を用いて説明する。図４では、チャート２１Ｒ、２１Ｌに描画された図形を模式的に示している。
【００２８】
図４（ａ）、（ｂ）に示すように、チャート２１Ｒ、２１Ｌの主面には、円形図２１１Ｒ、２１１Ｌと三角形図２１２Ｒ、２１２Ｌと四角形図２１３Ｒ、２１３Ｌが図４の各左側から順に描かれている。図４（ａ）の円形図２１１Ｌと、図４（ｂ）の円形図２１１Ｒとは、同一形状になっており、また、三角形図２１２Ｌと三角形図２１２Ｒ、および四角形図２１３Ｌと四角形図２１３Ｒも、各々が同一形状になっている。
【００２９】
図４（ａ）に示すように、左眼用のチャート２１Ｌでは、その中心ＣＬＬ１に対して円形図２１１Ｌの中心ＣＬ２１１Ｌが左側に距離Ｄ１だけズレを有し、四角形図２１３Ｌの中心ＣＬ２１３Ｌが右側に距離Ｄ２だけズレを有する。なお、図４（ａ）に示すように、左側のチャート２１Ｌにおいては、三角形図２１２Ｌはチャート２１Ｌの中心ＣＬＬ１と同一線上に描かれている。
【００３０】
図４（ｂ）に示すように、右眼用のチャート２１Ｒでは、その中心ＣＬＲ１に対し、円形図２１１Ｒが距離Ｄ３のズレ、三角形図２１２Ｒが距離Ｄ４のズレ、四角形図２１３Ｒが距離Ｄ５のズレでそれぞれ設定されている。図４（ａ）と図４（ｂ）とに示す各距離Ｄ１〜Ｄ５は、例えば、次の関係をもって設定されている。
【００３１】
［数１］
Ｄ１＞Ｄ３
【００３２】
［数２］
Ｄ２＜Ｄ５
【００３３】
［数３］
Ｄ４＞０
【００３４】
［数４］
（Ｄ３−Ｄ１）＞Ｄ４＞（Ｄ５−Ｄ２）
このように本実施の形態では、チャート２１Ｒにおける各図２１１Ｒ、２１２Ｒ、２１３Ｒ、２１３Ｌに対し、チャート２１Ｌにおける各図２１１Ｌ、２１２Ｌ、２１３Ｌの各位置のズレ量を変えることで、これを観察したユーザは、３つの図形の奥行に差異を感じて、立体視することになる。これは、平行法による裸眼立体画像の形成原理を用いたものであって、ユーザは周辺視を使うことになる。
【００３５】
チャート２１Ｒとチャート２１Ｌとの間の各ズレ量（Ｄ３−Ｄ１）、Ｄ４、（Ｄ５−Ｄ２）の各々は、例えば、５００秒角から２０００秒角の範囲としておくことができる。ズレ量が大きいほど、観察したユーザは、その図形が奥に位置するように知覚する。ただし、ＶＤＴ作業などの近業作業を定常的に長時間実施している人にとっては、上記図形間にズレ量を設けていても、その奥行知覚ができない（立体視ができない）場合がある。特に若年層にその傾向が見られる。このような症状に対しても、本実施の形態に係る疲労回復促進装置１を持続的に使用すれば、その回復を図るのに有効である。
【００３６】
３−２．チャート２２Ｒ、２２Ｌ
次に、チャート２２Ｒ、２２Ｌについて、図５を用いて説明する。
図５（ａ）、（ｂ）に示すように、本実施の形態に係る疲労回復促進装置１が備えるチャート２２Ｒ、２２Ｌは、視力検査用として対を形成するものであって、表面にランドルト環２２１Ｒ、２２１Ｌ、２２２Ｒ、２２２Ｌ、２２３Ｒ、２２３Ｌ、２２４Ｒ、２２４Ｌが描かれている。図５（ａ）におけるランドルト環２２１Ｌ〜２２４Ｌと、図５（ｂ）におけるランドルト環２２１Ｒ〜２２４Ｒとは、各々が対応して同一形状同一サイズに設定されている。
【００３７】
各チャート２２Ｒ、２２Ｌにおけるランドルト環２２１Ｒ〜２２４Ｒ、２２１Ｌ〜２２４Ｌは、チャート２２Ｒ、２２Ｌ中に付した記号（Ａ）〜（Ｄ）の順にサイズが小さくなっている。
図５（ａ）に示すように、チャート２２Ｌでは、ランドルト環２２１Ｌ、２２３Ｌがチャート２２Ｌの中心ＣＬＬ２から左側に距離Ｄ６のズレを有し中心ＣＬ２２１Ｌが設定されている。また、チャート２２Ｌにおけるランドルト環２２２Ｌ、２２４Ｌの中心ＣＬ２２２Ｌは、チャート２２Ｌの中心ＣＬＬ２から右側に距離Ｄ７のズレを有し設定されている。
【００３８】
一方、図５（ｂ）に示すように、チャート２２Ｒでは、ランドルト環２２１Ｒ、２２３Ｒがチャート２２Ｒの中心ＣＬＲ２から左側に距離Ｄ８のズレを有し中心ＣＬ２２１Ｒが設定されている。また、チャート２２Ｒにおけるランドルト環２２２Ｒ、２２４Ｒの中心ＣＬ２２２Ｒは、チャート２２Ｒの中心ＣＬＲ２から右側に距離Ｄ９のズレを有し設定されている。距離Ｄ６〜Ｄ９の各間の関係は、例えば、次の通りである。
【００３９】
［数５］
（Ｄ６−Ｄ８）＝（Ｄ９−Ｄ７）
また、各チャート２２Ｒ、２２Ｌにおける最もサイズの大きなランドルト環２２１Ｒ、２２１Ｌのサイズは、ユーザがスリット（切れ目）を観察する際に、その間隔が１分角となるように設定されている。
【００４０】
なお、上記（数式５）における（Ｄ６−Ｄ７）および（Ｄ９−Ｄ７）の各値は、上記が像チャート２１Ｒ、２１Ｌにおけるそれよりも秒数を小さく設定しておき、ユーザに中心視を使わせる。
４．疲労回復促進装置１における駆動に係る構成
次に、本実施の形態に係る疲労回復促進装置１における駆動に係る構成について、図６を用いて説明する。図６は、疲労回復促進装置１を駆動面から主となる構成を示すブロック図である。
【００４１】
図６に示すように、疲労回復促進装置１は、上述の各スイッチ１０３〜１０６およびランプ４０Ｒ〜４２Ｒ、４０Ｌ〜４２Ｌの他に、これらを駆動制御するための駆動制御部７０と、これに接続されたメモリ７１、タイマー７２およびカウンター７３を主な構成要素として備える。この内、メモリ７１には、予めインプットされた駆動モード毎の駆動プログラムが格納されており、モード選択スイッチ１０４および時間選択スイッチ１０５からのユーザの選択指示に基づく駆動制御部７０の指示信号で格納プログラムを提供する。
【００４２】
タイマー７２は、駆動制御部７０の指示信号に基づき、計時の開始／停止を実行し、カウンター７３は、駆動制御部７０からの指示信号を基にカウンタの積算の開始／停止を実行する。
駆動制御部７０は、メモリ７１に格納された駆動プログラムよりユーザの選択指示に基づくプログラムを参照し、タイマー７２およびカウンター７３を適宜駆動させながら、ランプ４０Ｒ〜４２Ｒ、４０Ｌ〜４２Ｌの点灯／消灯を制御する。
【００４３】
５．疲労回復促進装置１の駆動方法
５−１．メインルーティン
疲労回復促進装置１の駆動方法について、そのメインルーティンを図７を用いて説明する。
図７に示すように、先ず、駆動制御部７０は、モード選択スイッチ１０４を介してのモード選択の受付を行う（ステップＳ１）。なお、疲労回復促進装置１では、ユーザに対しモード選択を促す際には、３つあるモード選択スイッチ１０４に内蔵されたランプを点灯あるいは点滅させてユーザの操作を導く。
【００４４】
次に、駆動制御部７０は、ユーザが選択したモードがモード３であるか否かを判定し（ステップＳ２）、選択されたモードがモード３でない場合（ステップＳ２：Ｎｏ）には、ユーザに対して駆動時間Ｔの選択を要求し、これを受け付ける（ステップＳ３）。この際にも、駆動制御部７０は、３つある時間選択スイッチ１０５の各々に内蔵されたランプを点灯あるいは点滅させてユーザの操作を導く。なお、モード３とは、本実施の形態に係る疲労回復促進装置１を以って、ユーザが視力検査のみを実行する駆動モードである。これについては、後述する。
【００４５】
次に、ユーザからの駆動時間Ｔの選択を受け付けた駆動制御部７０は、スタートスイッチ１０６の内蔵ランプを点灯あるいは点滅させて、ユーザにその押下操作を促す。駆動制御部７０は、ユーザのスタート指示を受け付けた場合（ステップＳ４：Ｙｅｓ）には、先にユーザが選択した駆動モードがモード１であるか否かを判定し（ステップＳ５）、選択されたモードがモード１の場合（ステップＳ５：Ｙｅｓ）には、モード１の駆動を実行する（ステップＳ６）。
【００４６】
一方、駆動制御部７０は、ステップＳ５で選択されたモードがモード１ではなく、モード２であると判定した場合（ステップＳ５：Ｎｏ）には、モード２の駆動を実行する（ステップＳ７）。
また、駆動制御部７０は、ステップＳ２において、ユーザが選択したモードがモード３であると判定した場合（ステップＳ２：Ｙｅｓ）には、ユーザに対して駆動時間Ｔの選択を要求することなく、スタートスイッチ１０６の押下を促す。そして、駆動制御部７０は、スタートスイッチ１０６が押下されたと判定した場合（ステップＳ８：Ｙｅｓ）には、モード３の駆動を実行する（ステップＳ９）。
【００４７】
以上のように、駆動制御部７０は、ユーザの選択指示に基づいて、上記モード１からモード３の駆動を選択的に実行して後、駆動を終了する。
５−２．モード１
駆動制御部７０がユーザの選択指示に基づき駆動可能なモード１からモード３の内、モード１の駆動方法について、図８を用いて説明する。
【００４８】
図８に示すように、駆動制御部７０は、ユーザの選択指示に基づき、メモリ７１に予め格納された駆動プログラムに基づきモード１の駆動を実行する場合に、先ず、カウンター７３のリセットを実行する（ステップＳ１１）。そして、駆動制御部７０は、時間をあけずにランプ４０Ｒ、４０Ｌの点灯を開始する（ステップＳ１２）とともに、タイマー７２に時間ｔの積算開始を指示する（ステップＳ１３）。この状態においては、ランプ４０Ｒ、４０Ｌから出射された光は、チャート２０Ｒ、２０Ｌを透過し、ユーザの右眼および左眼の各々に入射される（図２および図３を参照）。これにより、ユーザは、恰も遠くの風景を観察しているのと同様の状態におかれ、その瞳孔が散瞳状態となる。
【００４９】
駆動制御部７０は、タイマー７２の積算時間ｔが時間ｔ１となるまで上記ランプ４０Ｒ、４０Ｌの点灯状態を維持し（ステップＳ１４：Ｎｏ）、時間ｔ１に達した時点（ステップＳ１４：Ｙｅｓ）でランプ４０Ｒ、４０Ｌを消灯し（ステップＳ１５）、タイマー７２に対し、積算の停止とリセットとを指示する（ステップＳ１６）。
次に、駆動制御部７０は、ランプ４１Ｒ、４１Ｌに点灯を開始させるとともに（ステップＳ１７）、タイマー７２に時間ｔの積算開始を指示する（ステップＳ１８）。この状態においては、ランプ４１Ｒ、４１Ｌから出射された光は、チャート２１Ｒ、２１Ｌをそれぞれ透過し、ハーフミラー３１Ｒ、３１Ｌで反射されて後、ユーザの右眼および左眼にそれぞれ入射される。これにより、ユーザは、チャート２１Ｒ、２１Ｌの各画像を脳内で合成し、奥行のある画像を知覚する。このときのユーザが知覚する画像は、その光学距離の関係から、ユーザが最もリラックスできるものとなる。
【００５０】
駆動制御部７０は、タイマー７２の積算時間ｔが時間ｔ２となるまで上記ランプ４１Ｒ、４１Ｌの点灯状態を維持し（ステップＳ１９：Ｎｏ）、タイマー７２の積算時間ｔが時間ｔ２に達した時点（ステップＳ１９：Ｙｅｓ）で、ランプ４１Ｒ、４１Ｌの消灯を指示し（ステップＳ２０）、タイマー７２に対し、積算の停止とリセットのとを指示する（ステップＳ２１）。そして、駆動制御部７０は、カウンター７３に対し、積算カウントを（ｋ＝ｋ＋１）とする指示を行い（ステップＳ２２）、カウント値ｋが”ｎ”となるまでの間（ステップＳ２３：Ｎｏ）上記ステップＳ１２からステップＳ２３までの各ステップを繰り返して実行する。
【００５１】
駆動制御部７０がカウント値ｋが”ｎ”に到達したと判定した場合には、ランプ４２Ｒ、４２Ｌを点灯させる（ステップＳ２４）。そして、時間をあけることなくタイマー７２に対し時間ｔの積算開始の指示を出力する（ステップＳ２５）。この状態では、ランプ４２Ｒ、４２Ｌから出射された光は、チャート２２Ｒ、２２Ｌをそれぞれ透過し、ハーフミラー３２Ｒ、３２Ｌで反射されて後、ユーザの右眼および左眼のそれぞれに入射される。ユーザは、これにより、その両眼で図５に示す視力標を観察することになる。
【００５２】
ランプ４２Ｒ、４２Ｌの点灯状態は、タイマー７２の積算時間ｔが時間ｔ３に達するまで持続され（ステップＳ２６：Ｎｏ）、駆動制御部７０が積算時間ｔが時間ｔ３に達したと判定した時点（ステップＳ２６：Ｙｅｓ）で、ランプ４２Ｒ、４２Ｌの消灯を指示し（ステップＳ２７）、タイマー７２に対し、積算の停止とリセットのとを指示する（ステップＳ２８）。これにより、モード１での駆動が終了する。
【００５３】
以上のように、ユーザがモード１を選択した場合には、ユーザに対しチャート２０Ｒ、２０Ｌとチャート２１Ｒ、２１Ｌとを一定時間毎に交互に所要回数観察させ、その後にチャート２２Ｒ、２２Ｌを観察させる。ユーザに対しチャート２０Ｒ、２０Ｌとチャート２１Ｒ、２１Ｌとを交互に観察させることによって、近業作業などによる眼精疲労の回復を促進することができ、また、深視力の低下を回復促進することもできる。そして、視力検査によって、ユーザに対して眼精疲労に関する自覚を促すことができる。
【００５４】
なお、上述のおけるカウンター７３のアップ値ｎおよびタイマー７２の各アップ値ｔ１、ｔ２、ｔ３の各々については、ユーザが選択した駆動時間Ｔに基づき、メモリ７１に予め格納されたプログラムから規定されるものである。例えば、次式の関係を有する。
【００５５】
［数６］
Ｔ＝（ｔ１＋ｔ２）×ｎ＋ｔ３
本実施の形態における疲労回復促進装置１の駆動方法では、モード１の実行において、ランプ４２Ｒ、４２Ｌとを同時点灯することとしているが、ランプ４２Ｒとランプ４２Ｌとを時間的に分けて点灯させ、ユーザの片眼視力を検査する構成とすることもできる。
【００５６】
５−３．モード２
ユーザが駆動モードとしてモード２を選択した場合に実行される駆動シーケンスについて、図９を用い説明する。
図９に示すように、ユーザがモード２を選択した場合には、駆動制御部７０はステップＳ４１からステップＳ５３までの各ステップを所要回数実行することになる。これら各ステップＳ４１からステップＳ５３までの各ステップの実行動作については、上述のモード１の各ステップ（図８）のうちのステップＳ１１からステップＳ２３までと略同様であり、あらためての説明を省略する。
【００５７】
なお、図９に示すように、モード２を実行するに際して設定されるカウンター７３のアップ値ｐおよびタイマー７２のアップ値ｔ４、ｔ５についても、選択された駆動時間Ｔに基づいて、予めメモリ７１に格納された駆動プログラムから規定される。例えば、次式の関係を有する。
【００５８】
［数７］
Ｔ＝（ｔ４＋ｔ５）×ｐ
５−４．モード３
ユーザが駆動モードとしてモード３を選択した場合に実行される駆動シーケンスについて、図１０を用い説明する。モード３を選択の場合には、疲労回復促進装置１はユーザに対し視力検査のみを実行する。
【００５９】
図１０に示すように、先ず、駆動制御部７０は、ランプ４２Ｒのみの点灯を開始し（ステップＳ６１）、タイマー７２に時間ｔの積算開始を指示する（ステップＳ６２）。この状態においては、ユーザの右眼のみにランプ４２Ｒからの光が入射されることになり、ユーザは図５（ｂ）の視力標を観察することになる。これにより、ユーザは、右眼の視力をチェックすることができる。
【００６０】
駆動制御部７０は、タイマー７２の積算時間ｔが時間ｔ６となるまでランプ４２Ｒの点灯状態を維持し（ステップＳ６３：Ｎｏ）、時間ｔ６に達した時点（ステップＳ６３：Ｙｅｓ）でランプ４２Ｒを消灯し（ステップＳ６４）、タイマー７２に対し時間積算の停止とそのリセットとを指示する（ステップＳ６５）。
次に、駆動制御部７０は、ランプ４２Ｌに点灯を開始させるとともに（ステップＳ６６）、タイマー７２に対し時間ｔの積算開始を指示する（ステップＳ６７）。この状態においては、上記とは逆に、ユーザは左眼の視力をチェックすることができる。
【００６１】
駆動制御部７０は、タイマー７２での積算時間ｔが時間ｔ７に達するまで、ランプ４２Ｌの点灯状態を維持し（ステップＳ６８：Ｎｏ）、時間ｔ７に達した時点（ステップＳ６８：Ｙｅｓ）でランプ４２Ｌを消灯し（ステップＳ６９）、タイマー７２に対し時間積算の停止とそのリセットとを指示する（ステップＳ７０）。
以上で、モード３の駆動が終了する。
【００６２】
なお、本実施の形態では、ユーザがモード３を選択した場合、右眼と左眼とを時間的に分けて別々に視力検査することにしているが、上記モード１と同様に両眼視力を検査することとしてもよい。
６．疲労回復促進装置の有する優位性
以上のような構成および駆動方法を採る疲労回復促進装置１では、筐体１００の内部に備えられた複数のチャート２０Ｒ〜２２Ｒ、２０Ｌ〜２２Ｌの内、チャート２１Ｒ、２１Ｌの対によりユーザに対し深視力の回復促進を図ることができる。また、本実施の形態に係る疲労回復促進装置１では、ユーザにチャート２２Ｒ、２２Ｌを観察させることで静止視力の検査をさせることができる。これらの構成を以って、本実施の形態に係る疲労回復促進装置１を使用するユーザは、長時間の近業作業により眼精疲労などを生じた場合にあっても、チャート２１Ｒ、２１Ｌを観察することで深視力（奥行知覚）の回復を果たすことができ、また、チャート２２Ｒ、２２Ｌを観察することで自らの静止視力を自覚することができる。
【００６３】
したがって、疲労回復促進装置１は、ユーザの深視力の回復促進機能と、静止視力の検査機能とを筐体１００内に実現し、スペース効率に優れ、また、機能毎に別々の装置を備える場合に比べてコスト面からも優れている。
さらに、本実施の形態に係る疲労回復促進装置１では、チャート２０Ｒ、２ＯＬをユーザに提供できるので、これを観察したユーザは、恰も無限遠方の風景を眺めているのと同じ状態となり、近業作業などで緊張を強いられた眼筋の弛緩をなすことができる。よって、疲労回復促進装置１は、ユーザの眼精疲労の回復促進という観点から優位性を有する。
（バリエーション）
上記実施の形態においては、筐体１００内に６枚のチャート２０Ｒ〜２２Ｒ、２０Ｌ〜２２Ｌを備え、ユーザの眼に対し上記３つの機能を有する構成としたが、この内の１つの機能を省略することもできる。たとえば、上記実施の形態に係る疲労回復促進装置１に対し、チャート２２Ｒ、２２Ｌおよびこれに付随する各構成要素（ハーフミラー３２Ｒ、３２Ｌと、散光板６２Ｒ、６２Ｌとランプ４２Ｒ、４２Ｌ）を備えない構成とすることもできる。このような構成を採用するときには、例えば、深視力の回復促進を図る際に用いるチャート２１Ｒ、２１Ｌなどの図形に大小関係をつけておき、この画像を以ってユーザに静止視力を検査させることができる。
【００６４】
また、このような装置では、その構成が上記実施の形態に係る疲労回復促進装置１に比べて簡易なものとすることが可能であり、コスト面およびスペース効率面からより優れる。
また、上記実施の形態では、疲労回復促進装置１の駆動方法の一例として、ユーザが３つの駆動モードを選択することができることとしたが、より詳細な組み合わせを実行可能なようにすることもできる。例えば、そのような多岐にわたる駆動モードをユーザに選択させる場合には、図１の各選択スイッチ１０４、１０５などの代りにタッチパネルなどを適用すれば、大きなスペースを必要とすることもなく、また、コスト面からも優位性を確保することができる。
【００６５】
また、上記実施の形態では、視力検査のための視力標として、ランドルト環が描かれたチャート２２Ｒ、２２Ｌを採用したが、これ以外のものを使用することもできる。例えば、アルファベットの大小の文字を配列してなるスネルチャートなどを用いることもできる。
さらに、上記疲労回復促進装置１では、チャート２０Ｒ〜２２Ｒ、２０Ｌ〜２２Ｌを用いて画像形成を行なす構成を採用したが、これ以外の画像形成方法、たとえば液晶パネルを用い画像形成することなども可能であり、その場合には、駆動制御部７０が各液晶パネルの駆動切替によってユーザに観察させる画像の種類を変更することができる。
【産業上の利用可能性】
【００６６】
本発明は、パーソナルコンピュータなどのＶＤＴ作業により生じるテクノストレスなどの疲労回復と視力検査とを可能とし、簡易に進行性の近視の予防・回復および深視力の機能回復とをともに実現するのに有効な装置を実現するのに有効な技術である。
【図面の簡単な説明】
【００６７】
【図１】本発明の実施の形態に係る疲労回復促進装置１の外観を示す斜視図である。
【図２】疲労回復促進装置１の内部における主要構成を示す模式斜視図である。
【図３】疲労回復促進装置１の駆動原理を説明するための模式断面図である。
【図４】疲労回復促進装置１の備える３組のチャート対のうちの第２視標チャート対を構成する各チャート２１Ｒ、２１Ｌを示す平面図である。
【図５】疲労回復促進装置１の備える３組のチャート対のうちの第３視標チャート対を構成する各チャート２２Ｒ、２２Ｌを示す平面図である。
【図６】疲労回復促進装置１におけるブロック構成図である。
【図７】疲労回復促進装置１の駆動方法を説明するためのフロー図である。
【図８】疲労回復促進装置１の駆動のうち、ユーザがモード１を選択した場合に実行される動作を示すフロー図である。
【図９】疲労回復促進装置１の駆動のうち、ユーザがモード２を選択した場合に実行される動作を示すフロー図である。
【図１０】疲労回復促進装置１の駆動のうち、ユーザがモード３を選択した場合に実行される動作を示すフロー図である。
【符号の説明】
【００６８】
１．疲労回復促進装置
１０．装置本体
２０．第１視標パネル
２０Ｒ、２０Ｌ、２１Ｒ、２１Ｌ、２２Ｒ、２２Ｌ．チャート
３１Ｒ、３１Ｌ、３２Ｒ、３２Ｌ．ハーフミラー
４０Ｒ、４０Ｌ、４１Ｒ、４１Ｌ、４２Ｒ、４２Ｌ．ランプ
５０Ｒ、５０Ｌ．接眼レンズ
６０Ｒ、６１Ｒ、６２Ｒ．散光板
７０．駆動制御部
７１．メモリ
７２．タイマー
７３．カウンター
１００．筐体
１０１Ｒ、１０１Ｌ．ファインダ部
１０２．ダイアル
１０３．電源スイッチ
１０４．モード選択スイッチ
１０５．時間選択スイッチ
１０６．スタートスイッチ
【図１】
2007215691.tif 000003
【図２】
2007215691.tif 000004
【図３】
2007215691.tif 000005
【図４】
2007215691.tif 000006
【図５】
2007215691.tif 000007
【図６】
2007215691.tif 000008
【図７】
2007215691.tif 000009
【図８】
2007215691.tif 000010
【図９】
2007215691.tif 000011
【図１０】
2007215691.tif 000012